(57)【要約】【課題】  ヘッドホン装着時の操作性を向上させることができるとともに、装着ミスをなくすことができる「ワイヤレスヘッドホンシステム」を提供すること。【解決手段】  ヘッドホン装置８０は、左右のオーディオ信号が含まれた無線送信された信号を受信するオーディオ信号受信部８００と、受信した信号から左右のオーディオ信号を復元する復調部８０２、Ｌ／Ｒ分離部８０４と、復元された左右のオーディオ信号を出力する２つのスピーカ８０８、８０９とを有している。また、リア表示ユニット２０は、ヘッドホン装置８０の装着の向きに応じて左右のオーディオ信号のそれぞれの出力先となるスピーカ８０８、８０９を送信チャンネルを切り替えることで可変に設定する送信データ作成部を有している。【選択図】        図３
2005333428.tif 000002
【特許請求の範囲】
【請求項１】
左右のオーディオ信号が含まれた無線送信された信号を受信する受信手段と、前記受信手段によって受信された信号から前記左右のオーディオ信号を復元する復元手段と、前記復元手段によって復元された前記左右のオーディオ信号を出力する第１および第２のオーディオ信号出力手段とを有するヘッドホン装置と、
前記受信手段に向けて前記左右のオーディオ信号が含まれる信号を無線送信する送信装置と、
前記ヘッドホン装置の装着の向きに応じて、前記復元手段によって復元された前記左右のオーディオ信号のそれぞれの出力先となる前記第１および第２のオーディオ信号出力手段を設定する出力先設定手段と、
を備えることを特徴とするワイヤレスヘッドホンシステム。
【請求項２】
請求項１において、
前記ヘッドホン装置の装着の向きを判定する装着向き判定手段をさらに備えることを特徴とするワイヤレスヘッドホンシステム。
【請求項３】
請求項２において、
前記装着向き判定手段は、所定位置から前記ヘッドホン装置に向けて向き判定用の検出信号を送出する検出信号出力手段と、前記検出信号出力手段から送出された前記検出信号を受信する前記ヘッドホン装置の少なくとも２箇所に設けられた複数の検出信号受信手段とを備えており、
装着向き判定手段は、前記複数の検出信号受信手段のそれぞれによって検出された前記検出信号の受信強度に基づいて前記ヘッドホン装置の装着の向きを判定することを特徴とするワイヤレスヘッドホンシステム。
【請求項４】
請求項１〜３のいずれかにおいて、
前記送信装置は、前記第１のオーディオ信号出力手段から出力されるオーディオ信号を送信する第１の送信チャンネルと、前記第２のオーディオ信号出力手段から出力されるオーディオ信号を送信する第２の送信チャンネルを有しており、
前記出力先設定手段は、第１および第２の送信チャンネルと前記第１および第２のオーディオ信号との組み合わせを、前記ヘッドホン装置の装着の向きに応じて異ならせることを特徴とするワイヤレスヘッドホンシステム。
【請求項５】
請求項１〜３のいずれかにおいて、
前記出力先設定手段は、前記復元手段によって復元された前記左右のオーディオ信号のそれぞれの入力先となる前記第１あるいは第２のオーディオ信号出力手段を、前記ヘッドホン装置の装着の向きに応じて異ならせることを特徴とするワイヤレスヘッドホンシステム。
【請求項６】
請求項１〜５のいずれかにおいて、
前記ヘッドホン装置が利用者の頭部に装着された時点を検出する装着状態検出手段をさらに備え、
前記出力先設定手段は、前記装着状態検出手段によって前記ヘッドホン装置が利用者の頭部に装着された時点が検出された後の所定の時間内に、前記左右のオーディオ信号のそれぞれの出力先となる前記第１および第２のオーディオ信号出力手段を設定することを特徴とするワイヤレスヘッドホンシステム。
【請求項７】
請求項１〜５のいずれかにおいて、
利用者の操作による設定指示を受け付ける操作手段をさらに備え、
前記出力先設定手段は、前記操作手段によって前記設定指示を受け付けたときに、前記左右のオーディオ信号のそれぞれの出力先となる前記第１および第２のオーディオ信号出力手段を設定することを特徴とするワイヤレスヘッドホンシステム。
【発明の詳細な説明】
【技術分野】
【０００１】
本発明は、ワイヤレスでヘッドホンに音情報を送信するワイヤレスヘッドホンシステムに関する。
【背景技術】
【０００２】
従来から、無線で音声を送受信することにより、接続線の引き回し等が不要なワイヤレス音声送受信装置が知られている（例えば、特許文献１参照。）。この装置では、ヘッドホンステレオやポータブルコンパクトディスクプレーヤ等の本体装置から左右の音声信号を無線で送信し、これをリモコン等の受信装置で受信して左右の音響ユニット（スピーカ等）から出力している。
【特許文献１】特開平８−１６２９９３号公報（第３−６頁、図１−５）
【発明の開示】
【発明が解決しようとする課題】
【０００３】
ところで、特許文献１に開示された装置では、受信装置の各音響ユニットから出力される音声信号の内容があらかじめ決まっているため、この技術をワイヤレスヘッドホンシステムに適用しようとすると、左右の音響ユニットの装着位置を間違えないようにする必要があり、操作性が悪いという問題があった。例えば、夜間等の周囲が暗い環境において利用者の頭部にヘッドホンを装着する場合には、一旦照明を点灯させて音響ユニットの左右を確認する等の作業が必要になり、装着作業が繁雑になる。また、夜間等に限らず明るい環境においても装着ミスを生じる場合を確実に回避することはできなかった。
【０００４】
本発明は、このような点に鑑みて創作されたものであり、その目的は、ヘッドホン装着時の操作性を向上させることができるとともに、装着ミスをなくすことができるワイヤレスヘッドホンシステムを提供することにある。
【課題を解決するための手段】
【０００５】
上述した課題を解決するために、本発明のワイヤレスヘッドホンシステムは、左右のオーディオ信号が含まれた無線送信された信号を受信する受信手段と、受信手段によって受信された信号から左右のオーディオ信号を復元する復元手段と、復元手段によって復元された左右のオーディオ信号を出力する第１および第２のオーディオ信号出力手段とを有するヘッドホン装置と、受信手段に向けて左右のオーディオ信号が含まれる信号を無線送信する送信装置と、ヘッドホン装置の装着の向きに応じて、復元手段によって復元された左右のオーディオ信号のそれぞれの出力先となる第１および第２のオーディオ信号出力手段を設定する出力先設定手段とを備えている。ヘッドホン装置の装着状態に応じて適宜左右のオーディオ信号の出力先となる音響ユニット等のオーディオ信号出力手段が設定されるため、利用者はヘッドホン装置の向きを考慮せずに装着することができ、装着時の操作性を向上させるとともに、装着ミスをなくすことができる。
【０００６】
また、上述したヘッドホン装置の装着の向きを判定する装着向き判定手段をさらに備えることが望ましい。これにより、ヘッドホン装置の装着の向きに合わせて左右のオーディオ信号の出力先となるオーディオ信号出力手段を決定することが容易となる。
【０００７】
また、上述した装着向き判定手段は、所定位置からヘッドホン装置に向けて向き判定用の検出信号を送出する検出信号出力手段と、検出信号出力手段から送出された検出信号を受信するヘッドホン装置の少なくとも２箇所に設けられた複数の検出信号受信手段とを備えており、装着向き判定手段は、複数の検出信号受信手段のそれぞれによって検出された検出信号の受信強度に基づいてヘッドホン装置の装着の向きを判定することが望ましい。これにより、ヘッドホン装置の装着の向きを正確に把握することが可能になる。
【０００８】
また、上述した送信装置は、第１のオーディオ信号出力手段から出力されるオーディオ信号を送信する第１の送信チャンネルと、第２のオーディオ信号出力手段から出力されるオーディオ信号を送信する第２の送信チャンネルを有しており、出力先設定手段は、第１および第２の送信チャンネルと第１および第２のオーディオ信号との組み合わせを、ヘッドホン装置の装着の向きに応じて異ならせることが望ましい。これにより、送信装置側において左右のオーディオ信号の出力先となるヘッドホン装置内の２つのオーディオ信号出力手段を切り替えることが可能になる。
【０００９】
また、上述した出力先設定手段は、復元手段によって復元された左右のオーディオ信号のそれぞれの入力先となる第１あるいは第２のオーディオ信号出力手段を、ヘッドホン装置の装着の向きに応じて異ならせることが望ましい。これにより、ヘッドホン装置側において左右のオーディオ信号の出力先となる２つのオーディオ信号出力手段を切り替えることが可能になる。
【００１０】
また、上述したヘッドホン装置が利用者の頭部に装着された時点を検出する装着状態検出手段をさらに備え、出力先設定手段は、装着状態検出手段によってヘッドホン装置が利用者の頭部に装着された時点が検出された後の所定の時間内に、左右のオーディオ信号のそれぞれの出力先となる第１および第２のオーディオ信号出力手段を設定することが望ましい。あるいは、利用者の操作による設定指示を受け付ける操作手段をさらに備え、出力先設定手段は、操作手段によって設定指示を受け付けたときに、左右のオーディオ信号のそれぞれの出力先となる第１および第２のオーディオ信号出力手段を設定することが望ましい。これにより、左右のオーディオ信号の出力先となるオーディオ信号出力手段を決定するタイミングを明確化することができるため、利用者にそのときだけ所定の姿勢をとらせることで左右のオーディオ信号の出力先となる２つのオーディオ信号出力手段を正確に設定することが可能になる。また、それ以後は、利用者は、ヘッドホン装置を装着した状態を継続している限りその設定を維持するだけでよいため、この設定に関する処理を簡素化することができる。
【発明を実施するための最良の形態】
【００１１】
以下、本発明のワイヤレスヘッドホンシステムを適用した一実施形態の車載システムについて、図面を参照しながら説明する。
【００１２】
図１は、一実施形態の車載システムの構成を示す図である。図１に示すように、本実施形態の車載システムは、フロント表示ユニット１０、リヤ表示ユニット２０、ラジオチューナ３０、ＤＶＤプレーヤ４０、ＭＤプレーヤ５０、ナビゲーションユニット６０、増幅器ユニット７０を含んで構成されており、これらが通信路であるバス９０を介して接続されている。また、リヤ表示ユニット２０にはヘッドホン装置８０が無線接続されている。増幅器ユニット７０には、車両の所定位置に設置されたスピーカ７２、７４が接続線を介して接続されている。
【００１３】
フロント表示ユニット１０は、運転者や助手席の搭乗者など車室内のフロント側（前部座席側）に着座している利用者が見ることができる表示装置を収容しており、車室内のフロント側の所定位置に設置されている。リア表示ユニット２０は、車室内のリア側（後部座席側）に着座している利用者が見ることができる表示装置を収容しており、運転席と助手席の間の所定位置に設置されている。このリア表示ユニット２０の詳細については後述する。
【００１４】
ラジオチューナ３０は、ＦＭ放送波やＡＭ放送波を受信して復調することによりオーディオデータを生成し、これをバス９０を介して増幅器ユニット７０に向けて送信する。ＤＶＤプレーヤ４０は、装填されたＤＶＤに記録された映像データやオーディオデータを再生して出力する。映像データはバス９０を介してフロント表示ユニット１０やリア表示ユニット２０に向けて送信される。また、オーディオデータはバス９０を介して増幅器ユニット７０に向けて出力される。ＭＤプレーヤ５０は、装填されたＭＤ（ミニディスク）に記録されたオーディオデータを再生し、これをバス９０を介して増幅器ユニット７０に向けて送信する。なお、このようにしてバス９０を介して増幅器ユニット７０に送信されるオーディオデータは、リア表示ユニット２０においても受信されており、スピーカ７２、７４の代わりにヘッドホン装置８０を用いてこれらのオーディオデータに対応するオーディオ音を出力したい場合には、リア表示ユニット２０からヘッドホン装置８０に向けて無線送信されたオーディオデータが用いられる。
【００１５】
ナビゲーションユニット６０は、自車位置を検出して自車位置周辺の地図の表示や、利用者によって選択された目的地までの経路探索および経路誘導などを行うものであり、地図情報等を表示するための画像データをフロント表示ユニット１０に向けて出力する。また、ナビゲーションユニット６０は、案内音声等に対応する音声データを生成し、内蔵したスピーカ（図示せず）から出力する。
【００１６】
増幅器ユニット７０は、ラジオチューナ３０、ＤＶＤプレーヤ４０、ＭＤプレーヤ５０、ナビゲーションユニット６０の各ユニットからバス９０を介して送信されるオーディオデータを受信してアナログのオーディオ信号に変換し、音量や音質の調整を行った後に所定のゲインで増幅してスピーカ７２、７４から出力する。
【００１７】
次に、リア表示ユニット２０とヘッドホン装置８０の詳細構成について説明する。図２は、リア表示ユニット２０の詳細構成を示す図である。図２に示すように、リア表示ユニット２０は、通信制御部２００、表示処理部２０２、表示装置２０４、オーディオ処理部２１０、送信データ作成部２１２、変調部２１４、オーディオ信号送信部２１６、検出信号送信部２２０、強度信号受信部２２２を含んで構成されている。
【００１８】
通信制御部２００は、リア表示ユニット２０とナビゲーションユニット６０、ラジオチューナ３０等との間で行うデータの送受信処理を行う。表示処理部２０２は、通信制御部２００を介して受信した映像データに基づいて所定形式の映像信号を生成し、表示装置２０４に向けて出力する。表示装置２０４は、入力される映像信号に基づいた映像を表示する。
【００１９】
オーディオ処理部２１０は、通信制御部２００を介して受信したオーディオデータに基づいて左右別々のオーディオデータＬ、Ｒを分離する。送信データ作成部２１２は、これらの分離したオーディオデータＬ、Ｒのそれぞれを第１の送信チャンネルおよび第２の送信チャンネルに割り当てた送信データを作成する。変調部２１４はこの送信データを変調し、オーディオ信号送信部２１６は変調されたオーディオ信号（送信信号）をヘッドホン装置８０に向けて無線送信する。例えば、変調部２１４においてＦＭ変調され、オーディオ信号送信部２１６ではこのＦＭ変調された信号が所定の搬送波に重畳されて送信アンテナ（図示せず）から送信される。
【００２０】
また、検出信号送信部２２０は、ヘッドホン装置８０に向けて所定の検出信号を送信する。この検出信号は、ヘッドホン装置８０の装着の向きを判定するためのものであり、所定周波数の電波が用いられる。なお、電波の代わりに赤外線や光を検出信号として用いるようにしてもよい。この検出信号はヘッドホン装置８０によって受信され、この受信時の信号強度を示す強度信号がヘッドホン装置８０から送り返されてくる。強度信号受信部２２２は、ヘッドホン装置８０から送り返されてくる強度信号を受信する。受信した強度信号は、送信データ作成部２１２に入力される。
【００２１】
図３は、ヘッドホン装置８０の詳細構成を示す図である。図３に示すように、ヘッドホン装置８０は、オーディオ信号受信部８００、復調部８０２、Ｌ／Ｒ分離部８０４、アンプ８０６、８０７、スピーカ８０８、８０９、検出信号受信部８１０、８１２、受信強度検出部８１４、強度信号送信部８１６、スイッチ８１８を含んで構成されている。
【００２２】
オーディオ信号受信部８００は、リア表示ユニット２０内のオーディオ信号送信部２１６から送信されたオーディオ信号を受信する。また、復調部８０２は、オーディオ信号受信部８００で受信したオーディオ信号に対して所定の復調処理を行う。例えば、リア表示ユニット２０からＦＭ変調された信号が送信された場合には、オーディオ信号受信部８００はこの変調された信号をアンテナ（図示せず）で受信した後に所定の周波数変換を行い、復調部８０２はＦＭ復調処理を行う。このようにして左右のオーディオ信号Ｌ、Ｒが含まれる複合信号が出力される。Ｌ／Ｒ分離部８０４は、この複合信号に基づいて左右のオーディオ信号Ｌ、Ｒを分離する。一方のオーディオ信号Ｌは、アンプ８０６によって増幅されてスピーカ８０８から出力される。また、他方のオーディオ信号Ｒは、アンプ８０７によって増幅されてスピーカ８０９から出力される。
【００２３】
また、検出信号受信部８１０、８１２のそれぞれは、リア表示ユニット２０内の検出信号送信部２２０から送信された検出信号を受信する。図４は、ヘッドホン装置８０の外観を示す図である。ヘッドホン装置８０では、利用者の耳の位置に合わせて２つのスピーカ８０８、８０９が配置されており、一方のスピーカ８０８が内蔵された筐体の前後に２つの検出信号受信部８１０、８１２が所定の間隔をなして取り付けられている。
【００２４】
受信強度検出部８１４は、２つの検出信号受信部８１０、８１２のそれぞれにおいて受信された検出信号の２種類の受信強度（信号強度）を検出する。強度信号送信部８１６は、受信強度検出部８１４によって検出された２種類の信号強度を示す強度信号を生成し、リア表示ユニット２０に向けて送信する。スイッチ８１８は、ヘッドホン装置８０を利用者の頭部に装着するときに２つのスピーカ８０８、８０９の筐体を開閉する操作に連動してオンオフされる。例えば、ヘッドホン装置８０を頭部に装着するとこのスイッチ８１８がオンされる。受信強度検出部８１４は、スイッチ８１８がオンされた後の所定時間受信強度の検出動作を行い、強度信号送信部８１６はこの所定時間の間だけ強度信号をリア表示ユニット２０に向けて送信する。
【００２５】
上述したオーディオ信号受信部８００が受信手段に、復調部８０２、Ｌ／Ｒ分離部８０４が復元手段に、スピーカ８０８、８０９が第１および第２のオーディオ信号出力手段に、リア表示ユニット２０が送信装置に、送信データ作成部２１２が出力先設定手段に、検出信号受信部８１０、８１２、受信強度検出部８１４、強度信号送信部８１６、検出信号送信部２２０、強度信号受信部２２２が装着向き判定手段にそれぞれ対応する。また、検出信号送信部２２０が検出信号出力手段に、検出信号受信部８１０、８１２が検出信号受信手段に、スイッチ８１８が装着状態検出手段にそれぞれ対応する。
【００２６】
本実施形態のリア表示ユニット２０およびヘッドホン装置８０はこのような構成を有しており、次にその動作を説明する。
【００２７】
図５は、ヘッドホン装置８０の動作手順を示す流れ図である。なお、リア表示ユニット２０内の検出信号送信部２２０からは常に検出信号が送信されているものとする。また、利用者は、ヘッドホン装置８０を装着した直後の所定時間（スイッチ８１８がオンされる時間よりも長い時間）の間はリア表示ユニット２０近傍を見ているものとする。
【００２８】
ヘッドホン装置８０は動作を開始すると、受信強度検出部８１４は、スイッチ８１８がオンされたか否かを判定する（ステップ１００）。オンされない場合には否定判断が行われ、この判定が繰り返される。また、スイッチ８１８がオンされると、ステップ１００の判定において肯定判断が行われ、次に、受信強度検出部８１４は２つの検出信号受信部８１０、８１２のそれぞれにおいて受信した検出信号の信号強度を検出し（ステップ１０１）、強度信号送信部８１６はこの検出した信号強度を示す強度信号を生成してリア表示ユニット２０に向けて送信する（ステップ１０２）。その後、受信強度検出部８１４は、一定時間が経過したか否かを判定し（ステップ１０３）、経過していない場合には否定判断を行ってステップ１０１に戻って受信した検出信号の信号強度検出動作以降を繰り返す。また、一定時間が経過するとステップ１０３の判定において肯定判断が行われ、次に、受信強度検出部８１４は信号強度の検出動作を中止し（ステップ１０４）、強度信号送信部８１６は強度信号の送信を停止する（ステップ１０５）。
【００２９】
図６は、図５に示した動作手順で動作するヘッドホン装置８０に対応するリア表示ユニット２０の動作手順を示す流れ図である。検出信号の送信動作と並行して、強度信号受信部２２２は、ヘッドホン装置８０から送信される強度信号を受信したか否かを判定しており（ステップ２００）、受信していない場合には否定判断を行ってこの判定を繰り返す。また、強度信号を受信した場合にはステップ２００の判定において肯定判断が行われ、次に、強度信号受信部２２２は、受信した強度信号に基づいて２種類の信号強度、すなわち、検出信号受信部８１０で受信した検出信号の信号強度と検出信号受信部８１２で受信した検出信号の信号強度の大小比較を行う（ステップ２０１）。
【００３０】
次に、送信データ作成部２１２は、この比較結果に基づいて、オーディオ処理部２１０から出力されるオーディオデータＬ、Ｒと第１および第２の送信チャンネルとの組み合わせを設定する（ステップ２０２）。
【００３１】
図４に示すヘッドホン装置８０を装着した利用者が左側を向いており、その先にリア表示ユニット２０が設置されているものとする。この場合には、検出信号受信部８１０で受信した検出信号の信号強度の方が、検出信号受信部８１２で受信した検出信号の信号強度よりも大きくなる。このとき、例えば、オーディオ処理部２１０から出力されるオーディオデータＬを第１の送信チャンネルに、オーディオデータＲを第２の送信チャンネルにそれぞれ対応させてこれらの組み合わせを設定することにより、利用者の左耳側に配置されたスピーカ８０８からオーディオデータＬに対応するオーディオ音を出力し、右耳側に配置されたスピーカ８０９からオーディオデータＲに対応するオーディオ音を出力することができる。一方、利用者がヘッドホン装置８０の左右を反対にして装着した場合には、リア表示ユニット２０に対する２つの検出信号受信部８１０、８１２の相対的な位置関係が反対になるため２種類の信号強度の大小比較結果が反対となる。このため、オーディオ処理部２１０から出力されるオーディオデータＬを第２の送信チャンネルに、オーディオデータＲを第１の送信チャンネルにそれぞれ対応させてこれらの組み合わせを設定することにより、利用者の左耳側に配置されたスピーカ８０９からオーディオデータＬに対応するオーディオ音を出力し、右耳側に配置されたスピーカ８０８からオーディオデータＲに対応するオーディオ音を出力することができる。
【００３２】
このように、本実施形態の車載システムでは、ヘッドホン装置８０の装着状態に応じて適宜左右のオーディオ信号の出力先となるスピーカ８０８、８０９が設定されるため、利用者はヘッドホン装置の向きを考慮せずに装着することができ、装着時の操作性を向上させるとともに、装着ミスをなくすことができる。
【００３３】
また、２つの検出信号受信部８１０、８１２のそれぞれで受信した検出信号の信号強度を強度信号受信部２２２によって比較することによりヘッドホン装置８０の装着の向きを正確に把握することができるため、ヘッドホン装置８０の装着の向きに合わせて左右のオーディオ信号の出力先となるスピーカ８０８、８０９を決定することが容易となる。
【００３４】
特に、リア表示ユニット２０は、例えば一方のスピーカ８０８から出力されるオーディオ信号を送信する第１の送信チャンネルと、他方のスピーカ８０９から出力されるオーディオ信号を送信する第２の送信チャンネルを有しており、送信データ作成部２１２によって、第１および第２の送信チャンネルと左右のオーディオデータＬ、Ｒとの組み合わせをヘッドホン装置８０の装着の向きに応じて異ならせることにより、リア表示ユニット２０において左右のオーディオ信号の出力先となる２つのスピーカ８０８、８０９を切り替えることが可能になる。
【００３５】
また、ヘッドホン装置８０を装着した時点を検出するスイッチ８１８が備わっており、左右のオーディオ信号の出力先となるスピーカ８０８、８０９を決定するタイミングを明確化することができるため、利用者にそのときだけ所定の姿勢（リア表示ユニット２０を見る姿勢）をとらせることで、左右のオーディオ信号の出力先となる２つのスピーカ８０８、８０９を正確に設定することが可能になる。また、それ以後は、利用者は、ヘッドホン装置８０を装着した状態を継続している限りその設定を維持するだけでよいため、この設定に関する処理を簡素化することができる。
【００３６】
なお、本発明は上記実施形態に限定されるものではなく、本発明の要旨の範囲内において種々の変形実施が可能である。上述した実施形態では、ヘッドホン装置８０の装着の向きに応じて左右のオーディオデータＬ、Ｒのそれぞれを送信する第１および第２の送信チャンネルをリア表示ユニット２０側で切り替えるようにしたが、必要な切替動作をヘッドホン装置８０側において行うようにしてもよい。
【００３７】
図７は、ヘッドホン装置８０側で切替動作を行う場合の動作手順を示す流れ図である。なお、この場合には検出信号の２種類の信号強度をヘッドホン装置８０からリア表示ユニット２０に向けて送信する必要がないため、図３に示すヘッドホン装置８０の構成から強度信号送信部８１６を削除することができ、図２に示すヘッドホン装置２０の構成から強度信号受信部２２２を削除することができる。
【００３８】
ヘッドホン装置８０は動作を開始すると、受信強度検出部８１４は、スイッチ８１８がオンされたか否かを判定する（ステップ３００）。オンされない場合には否定判断が行われ、この判定が繰り返される。また、スイッチ８１８がオンされると、ステップ３００の判定において肯定判断が行われ、次に、受信強度検出部８１４は２つの検出信号受信部８１０、８１２のそれぞれにおいて受信した２種類の検出信号の信号強度を検出し（ステップ３０１）、Ｌ／Ｒ分離部８０４は、この検出した２種類の信号強度の大小比較結果に基づいて、分離されたオーディオ信号Ｌ、Ｒの出力先となるスピーカ８０８、８０９を設定する（ステップ３０２）。その後、受信強度検出部８１４は、一定時間が経過したか否かを判定し（ステップ３０３）、経過していない場合には否定判断を行ってステップ３０１に戻って受信した検出信号の信号強度検出動作以降を繰り返す。また、一定時間が経過するとステップ３０３の判定において肯定判断が行われ、次に、受信強度検出部８１４は信号強度の検出動作を中止する（ステップ３０４）。復調部８０２で復調された後、Ｌ／Ｒ分離部８０４で分離される左右のオーディオ信号Ｌ、Ｒのそれぞれの入力先となるスピーカ８０８、８０９をヘッドホン装置８０の装着の向きに応じて異ならせることにより、ヘッドホン装置８０側において左右のオーディオ信号の出力先となる２つのスピーカ８０８、８０９を切り替えることが可能になる。
【００３９】
また、上述した実施形態では、オーディオ信号をＦＭ変調して送信する場合を例にとって説明したが、変調方法はＦＭ変調以外のアナログ変調を用いる場合の他に各種のデジタル変調を用いて信号を送信するようにしてもよい。
【００４０】
また、検出信号送信部２２０は、必ずしもオーディオ信号を変調した信号を送信するリア表示ユニット２０に備える必要はなく、他の装置あるいは単独で車室内に設置するようにしてもよい。同様に、上述した実施形態では、リア表示ユニット２０内にオーディオ信号を送信する機構を設けたが、この機構は他の装置あるいは単独で車室内に設定するようにしてもよい。
【００４１】
また、上述した実施形態では、ヘッドホン装置８０を装着した時点をスイッチ８１８がオンされることで検出したが、例えばこのスイッチ８１８を押しボタンスイッチ等で構成し、ヘッドホン装置８０を装着した直後に利用者自身がこのスイッチ８１８を操作してオンするようにしてもよい。
【００４２】
また、上述した実施形態では、一方のスピーカ８０８側に２つの検出信号受信部８１０、８１２を設けたが、他方のスピーカ８０９側に設けたり、両方に設けるようにしてもよい。両方に設けた場合には、合計４種類の信号強度が得られるため、これらを総合してヘッドホン装置８０の向きを判定することになる。
【図面の簡単な説明】
【００４３】
【図１】一実施形態の車載システムの構成を示す図である。
【図２】リア表示ユニットの詳細構成を示す図である。
【図３】ヘッドホン装置の詳細構成を示す図である。
【図４】ヘッドホン装置の外観を示す図である。
【図５】ヘッドホン装置の動作手順を示す流れ図である。
【図６】図５に示した動作手順で動作するヘッドホン装置に対応するリア表示ユニットの動作手順を示す流れ図である。
【図７】ヘッドホン装置側で切替動作を行う場合の動作手順を示す流れ図である。
【符号の説明】
【００４４】
２０  リア表示ユニット
８０  ヘッドホン装置
２１０  オーディオ処理部
２１２  送信データ作成部
２１４  変調部
２１６  オーディオ信号送信部
２２０  検出信号送信部
２２２  強度信号受信部
８００  オーディオ信号受信部
８０２  復調部
８０４  Ｌ／Ｒ分離部
８０６、８０７  アンプ
８０８、８０９  スピーカ
８１０、８１２  検出信号受信部
８１４  受信強度検出部
８１６  強度信号送信部
８１８  スイッチ
【図１】
2005333428.tif 000003
【図２】
2005333428.tif 000004
【図３】
2005333428.tif 000005
【図４】
2005333428.tif 000006
【図５】
2005333428.tif 000007
【図６】
2005333428.tif 000008
【図７】
2005333428.tif 000009